【手続補正書】
【提出日】平成23年9月22日(2011.9.22)
【手続補正１】
【補正対象書類名】特許請求の範囲
【補正対象項目名】全文
【補正方法】変更
【補正の内容】
【特許請求の範囲】
【請求項１】
医用画像データと該医用画像データに対応する確定した診断情報とを含む複数の確定症例データを記憶する症例データベースから１以上の確定症例データを抽出するデータ検索装置であって、
医用画像データを含む症例データの入力を受け付ける入力受付手段と、
前記症例データベースに記憶された前記複数の確定症例データの各々について、前記入力受付手段により入力された前記症例データとの類似度を導出する導出手段と、
前記症例データベースに記憶される前記複数の確定症例データを、該複数の確定症例データの各々に含まれる確定した診断情報に基づいて複数の診断グループに分類する分類手段と、
前記複数の診断グループの各々から、前記導出手段により導出された類似度に基づいて所定数以上の確定症例データを抽出する抽出手段と、
を含むことを特徴とするデータ検索装置。
【請求項２】
前記抽出手段は、前記分類手段により分類された前記複数の診断グループの各々に対して前記類似度に基づく抽出基準を変更することを特徴とする請求項１に記載のデータ検索装置。
【請求項３】
前記複数の診断グループのうち前記症例データとの類似度が所定閾値以上である確定症例データを含む診断グループを類似グループとして選択する選択手段と、
前記複数の診断グループの各々について、診断グループに含まれる確定症例データと類似度が高い確定症例データが含まれる他の１以上の診断グループを関連グループとして設定する設定手段と、
を更に備え、
前記抽出手段は、前記類似グループおよび該類似グループの関連グループの各々から、前記導出手段により導出された類似度に基づいて所定数以上の確定症例データを抽出することを特徴とする請求項１に記載のデータ検索装置。
【請求項４】
前記選択手段は、前記症例データベースに記憶される前記複数の確定症例データのうち、前記導出手段により導出された類似度が大きい方から所定数だけの確定症例データを選出し、選出された確定症例データが含まれる診断グループを前記類似グループとして選択することを特徴とする請求項３に記載のデータ検索装置。
【請求項５】
医用画像データと該医用画像データに対応する確定した診断情報とを含む複数の確定症例データを記憶する症例データベースから１以上の確定症例データを抽出するデータ検索装置の制御方法であって、
入力受付手段が、医用画像データを含む症例データの入力を受け付ける入力受付工程と、
導出手段が、前記症例データベースに記憶された前記複数の確定症例データの各々について、前記入力受付工程により入力された前記症例データとの類似度を導出する導出工程と、
分類手段が、前記症例データベースに記憶される前記複数の確定症例データを、該複数の確定症例データの各々に含まれる確定した診断情報に基づいて複数の診断グループに分類する分類工程と、
抽出手段が、前記複数の診断グループの各々から、前記導出工程により導出された類似度に基づいて所定数以上の確定症例データを抽出する抽出工程と、
を含むことを特徴とするデータ検索装置の制御方法。
【請求項６】
医用画像データと該医用画像データに対応する確定した診断情報とを含む複数の確定症例データを記憶する症例データベースと、該症例データベースにアクセスして１以上の確定症例データを抽出するデータ検索装置と、を含むデータ検索システムであって、
医用画像データを含む症例データの入力を受け付ける入力受付手段と、
前記症例データベースに記憶された前記複数の確定症例データの各々について、前記入力受付手段により入力された前記症例データとの類似度を導出する導出手段と、
前記症例データベースに記憶される前記複数の確定症例データを、該複数の確定症例データの各々に含まれる確定した診断情報に基づいて複数の診断グループに分類する分類手段と、
前記複数の診断グループの各々から、前記導出手段により導出された類似度に基づいて所定数以上の確定症例データを抽出する抽出手段と、
を含むことを特徴とするデータ検索システム。
【請求項７】
コンピュータを請求項１乃至４の何れか一項に記載のデータ検索装置の各手段として機能させるためのプログラム。
【手続補正２】
【補正対象書類名】明細書
【補正対象項目名】０００７
【補正方法】変更
【補正の内容】
【０００７】
上述の問題点を解決するため、本発明のデータ検索装置は以下の構成を備える。すなわち、医用画像データと該医用画像データに対応する確定した診断情報とを含む複数の確定症例データを記憶する症例データベースから１以上の確定症例データを抽出するデータ検索装置において、医用画像データを含む症例データの入力を受け付ける入力受付手段と、前記症例データベースに記憶された前記複数の確定症例データの各々について、前記入力受付手段により入力された前記症例データとの類似度を導出する導出手段と、前記症例データベースに記憶される前記複数の確定症例データを、該複数の確定症例データの各々に含まれる確定した診断情報に基づいて複数の診断グループに分類する分類手段と、前記複数の診断グループの各々から、前記導出手段により導出された類似度に基づいて所定数以上の確定症例データを抽出する抽出手段と、を含む。
【手続補正３】
【補正対象書類名】明細書
【補正対象項目名】０００８
【補正方法】変更
【補正の内容】
【０００８】
上述の問題点を解決するため、本発明のデータ検索装置の制御方法は以下の構成を備える。すなわち、医用画像データと該医用画像データに対応する確定した診断情報とを含む複数の確定症例データを記憶する症例データベースから１以上の確定症例データを抽出するデータ検索装置の制御方法において、入力受付手段が、医用画像データを含む症例データの入力を受け付ける入力受付工程と、導出手段が、前記症例データベースに記憶された前記複数の確定症例データの各々について、前記入力受付工程により入力された前記症例データとの類似度を導出する導出工程と、分類手段が、前記症例データベースに記憶される前記複数の確定症例データを、該複数の確定症例データの各々に含まれる確定した診断情報に基づいて複数の診断グループに分類する分類工程と、抽出手段が、前記複数の診断グループの各々から、前記導出工程により導出された類似度に基づいて所定数以上の確定症例データを抽出する抽出工程と、を含む。
【手続補正４】
【補正対象書類名】明細書
【補正対象項目名】０００９
【補正方法】変更
【補正の内容】
【０００９】
上述の問題点を解決するため、本発明のデータ検索システムは以下の構成を備える。すなわち、医用画像データと該医用画像データに対応する確定した診断情報とを含む複数の確定症例データを記憶する症例データベースと、該症例データベースにアクセスして１以上の確定症例データを抽出するデータ検索装置と、を含むデータ検索システムにおいて、医用画像データを含む症例データの入力を受け付ける入力受付手段と、前記症例データベースに記憶された前記複数の確定症例データの各々について、前記入力受付手段により入力された前記症例データとの類似度を導出する導出手段と、前記症例データベースに記憶される前記複数の確定症例データを、該複数の確定症例データの各々に含まれる確定した診断情報に基づいて複数の診断グループに分類する分類手段と、前記複数の診断グループの各々から、前記導出手段により導出された類似度に基づいて所定数以上の確定症例データを抽出する抽出手段と、を含む。